(57)【要約】【課題】  装置内に標準時計を持つことなく精度の高い時刻表示が可能な時刻表示機能付き衛星放送受信装置およびその動作に対応する衛星放送送信装置を提供する。【解決手段】  衛星放送送信装置５０の制御チャネル生成部５２により基準時計５１の基準時刻データがペイロードデータの一部として書き込まれた制御チャンネルを受信した時刻表示機能付き衛星放送受信装置１０は、復調・誤り訂正部１の制御チャネル部１Ａで制御チャンネルを復調および誤り訂正し、時刻情報抽出部２により制御チャンネルから基準時刻データを時刻情報として抽出し、表示時刻算出部４により遅延時間格納部３に格納されている遅延時間Ｔを加算して表示時間を算出し、復号・表示部５へ送出する。【選択図】  図１
2007158611.tif 000002
【特許請求の範囲】
【請求項１】
衛星を経由して受信した放送信号を復調し、前記放送信号に含まれる放送局基準時刻情報に所定の遅延時間を付加して前記放送局基準時刻に一致した時刻を表示することを特徴とする時刻表示機能付き衛星放送受信装置。
【請求項２】
ペイロードデータの一部に放送局基準時刻情報が書き込まれた制御チャンネルと放送チャンネルを有する衛星放送信号を復調する復調手段と、
前記復調された前記制御チャネルから前記放送局基準時刻情報を抽出する時刻情報抽出手段と、
前記抽出された前記放送局基準時刻情報に所定の遅延時間を付加して表示時刻を算出する表示時刻算出手段と
を備えることを特徴とする時刻表示機能付き衛星放送受信装置。
【請求項３】
前記遅延時間が、衛星放送送信機における前記放送局基準時刻情報の前記制御チャネルへの書き込みから前記復調手段による前記制御チャネルの復号に至るまでの時間であることを特徴とする請求項２に記載の時刻表示機能付き衛星放送受信装置。
【請求項４】
前記表示時刻の表示のオン／オフ、表示継続時間の長さおよび表示のタイミングを切り換える表示切り換え手段を備えることを特徴とする請求項２または３に記載の時刻表示機能付き衛星放送受信装置。
【請求項５】
前記表示時刻および前記復調手段で復調された前記放送チャンネルの映像、音声、データを表示する表示手段をさらに備えることを特徴とする時刻表示機能付き衛星放送受信装置。
【発明の詳細な説明】
【技術分野】
【０００１】
本発明は、時刻表示機能付き衛星放送受信装置に関し、特に受信時に正確な時刻表示が可能な時刻表示機能付き衛星放送受信装置に関する。
【背景技術】
【０００２】
近年実用化された衛星デジタル放送として、車などでの移動中にも受信可能なモバイル放送があり、その受信装置の１つとして手のひらサイズの携帯型受信装置が提供されている。このような受信装置で、ＭＰＥＧ−４（Moving  Picture  Experts  Group  phase  4）映像付き番組、ＡＡＣ（Advanced  Audio  Coding）音声番組、データ情報サービスなどのモバイル放送の多彩なコンテンツを移動中であっても楽しむことができる。
【０００３】
このようなモバイル放送などの衛星放送用受信装置に対する要求として、正確な時刻の表示がある。これは、従来、地上波アナログＴＶ放送で画面に表示される時刻を利用して手元の時計の時刻合わせを行っており、同様の時刻合わせを衛星放送用受信装置を用いても行いたいというものである。元来、放送局は非常に正確な基準時計を備えており、この基準時計に基づく従来の地上波アナログＴＶ放送における時刻表示は精度が高いものであった。
【０００４】
ところが、ＭＰＥＧ−４などの圧縮符号化技術によってデジタル化された衛星デジタル放送の場合、送信装置における符号化に要する時間、地上と放送衛星との間を電波が往復する時間、受信装置における復号に要する時間などのために、画面に表示された時刻が実際の時刻に対して遅れるという問題があった。また、複数の放送チャンネル間で遅延時間が異なる場合があり、異なるチャンネルで表示される時刻情報にずれが生じるという問題があった。そこで、受信装置に標準時計を設け、この時計の時刻を画面に表示することが提案されている（例えば、特許文献１参照。）。
【０００５】
しかし、標準時計に水晶発振などを用いても放送局の基準時計ほどの精度は得られない。また、限られたスペースしかない手のひらサイズの携帯型受信装置又は携帯電話型装置の場合、標準時計を装置内に追加することは実装上またはコスト上の問題があった。
【特許文献１】特開２００４−８８６９０号公報  （第６ページ、図１）
【発明の開示】
【発明が解決しようとする課題】
【０００６】
そこで、本発明の目的は、装置内に標準時計を持つことなく精度の高い時刻表示が可能な時刻表示機能付き衛星放送受信装置を提供することにある。
【課題を解決するための手段】
【０００７】
本発明の一態様によれば、衛星を経由して受信した放送信号を復調し、前記放送信号に含まれる放送局基準時刻情報に所定の遅延時間を付加して前記放送局基準時刻に一致した時刻を表示することを特徴とする時刻表示機能付き衛星放送受信装置が提供される。
【０００８】
また、本発明の別の一態様によれば、ペイロードデータの一部に放送局基準時刻情報が書き込まれた制御チャンネルと放送チャンネルを有する衛星放送信号を復調する復調手段と、前記復調された前記制御チャネルから前記放送局基準時刻情報を抽出する時刻情報抽出手段と、前記抽出された前記放送局基準時刻情報に所定の遅延時間を付加して表示時刻を算出する表示時刻算出手段とを備えることを特徴とする時刻表示機能付き衛星放送受信装置が提供される。
【発明の効果】
【０００９】
本発明によれば、衛星放送受信装置において、精度の高い時刻表示を行うことができる。
【発明を実施するための最良の形態】
【００１０】
以下、本発明の実施例を図面を参照して説明する。
【実施例１】
【００１１】
図１は、本発明の実施例1に係る時刻表示機能付き衛星放送受信装置および衛星放送送信装置による衛星デジタル放送システムの概略構成を示すブロック図である。なお、この衛星デジタル放送システムで放送されるデータには、コンテンツ情報からなる放送チャンネルと、受信機制御に使用される制御チャンネルが含まれる。
【００１２】
本実施例の衛星放送送信装置５０は、日本標準時刻に同期して制御される非常に高精度の時計である基準時計５１から出力される基準時刻データが制御チャンネルのペイロードデータの一部として書き込まれた制御チャンネル生成部５２と、放送チャンネルを生成する放送チャンネル生成部５３と、制御チャンネルおよび放送チャンネルを変調および誤り訂正する変調・誤り訂正部５４と、変調信号を放送信号として送出する送出部５５と、送信アンテナ５６と、を有する。
【００１３】
本実施例の時刻表示機能付き衛星放送受信装置１０は、衛星放送送信装置５０から送信されたデジタル放送信号を放送衛星１００を経由して受信する。
【００１４】
時刻表示機能付き衛星放送受信装置１０は、デジタル放送信号を受信アンテナ６で受信しチューナー部７で検波した信号を制御チャンネル部１Ａおよび放送チャンネル部１Ｂに分離（例えば符号分割）して、制御チャンネル、放送チャンネルごとに復調および誤り訂正する復調・誤り訂正部１と、制御チャンネル部１Ａで復調された制御チャンネルのペイロードデータの中から基準時刻データ格納部分のデータを時刻情報として抽出する時刻情報抽出部２と、衛星放送送信装置５０の制御チャンネル生成部５２で基準時刻を制御チャンネルへ格納してから時刻情報抽出部２で制御チャンネルから時刻情報を抽出するまでに要する遅延時間Ｔを格納している遅延時間格納部３と、時刻情報抽出部２から出力された時刻情報に遅延時間格納部３から読み出した遅延時間Ｔを加算して表示時刻を算出する表示時刻算出部４と、放送チャンネル部１Ｂで復調された放送チャンネルのデータを復調・誤り訂正部１で誤り訂正した映像、音声、データおよび表示時刻算出部４で算出された表示時刻を表示する復号・表示部５と、を有する。
【００１５】
なお、復号・表示部５は、内蔵の復号部と、外付けの表示部とに分けてもよく、この外付けの表示部に表示を行うようにしてもよい。
【００１６】
ここで、遅延時間格納部３に格納されている遅延時間Ｔは、次に述べる要素からなる。すなわち、衛星放送送信装置５０において基準時刻データを制御チャンネル生成部５２で制御チャンネルへ書き込んでから送信アンテナ５６で送信するまでの処理に要する遅延時間Ｔ１、送信アンテナ５６から放送衛星１００へ電波が到達するまでに要する遅延時間Ｔ２、放送衛星１００から時刻表示機能付き衛星放送受信装置１０の受信アンテナ６へ電波が到達するまでに要する遅延時間Ｔ３、受信アンテナ６で受信した放送信号から時刻情報抽出部２で時刻情報を抽出するまでに要する遅延時間Ｔ４である。
【００１７】
一般に、衛星デジタル放送では、受信品質を向上させるため、送信データがインターリーブ処理される。そのため、受信側ではデインターリーブ処理が行なわれる。このとき、放送チャンネルでは、放送チャンネルごとにインターリーブ時間が異なる場合がある。しかし、制御チャンネルは、インターリーブを行なわないか、または常に一定のインターリーブ時間でインターリーブ処理が行なわれる。そのため、制御チャンネルでは、衛星放送送信装置５０における遅延時間Ｔ１は常に一定である。
【００１８】
送信側の制御チャンネルの遅延時間が一定であるので、時刻表示機能付き衛星放送受信装置１０における制御チャンネルの遅延時間も一定となる。したがって、時刻表示機能付き衛星放送受信装置１０における遅延時間Ｔ４も受信装置の処理演算により決まる値であり、常に一定である。
【００１９】
また、衛星放送の場合、放送衛星１００は静止衛星軌道上の一定の点に位置するように制御されている。そのため、地上と放送衛星１００との往復に要する遅延時間Ｔ２および遅延時間Ｔ３は常に一定である。
【００２０】
したがって、遅延時間Ｔ１、遅延時間Ｔ２、遅延時間Ｔ３および遅延時間Ｔ４の和である遅延時間Ｔ（Ｔ＝Ｔ１＋Ｔ２＋Ｔ３＋Ｔ４）も常に一定の時間となる。これらの遅延時間Ｔ１、遅延時間Ｔ２、遅延時間Ｔ３および遅延時間Ｔ４は、予め算出することができるので、その値を求めて遅延時間Ｔを予め算出することができる。このようにして算出した遅延時間Ｔが遅延時間格納部３に格納されている。
【００２１】
図２は、制御チャンネルのデータ構成の例を示す図である。ここでは、モバイル放送における制御チャンネルの構成を一例として示す。
【００２２】
モバイル放送における制御チャンネルには、パイロットシンボル（ＰＳ）とペアとなった５１個のデータ（Ｄ１〜Ｄ５１）が含まれる。このデータのうち、Ｄ１は同期処理用のユニークワード、Ｄ２はフレームカウンタ、Ｄ２３〜Ｄ２６およびＤ４７〜Ｄ５０はリード・ソロモン符号パリティを格納することが規定されている。
【００２３】
残りのＤ３〜Ｄ２２およびＤ２７〜Ｄ４６がペイロードデータ領域となり、Ｄ５１はデータ領域とされる。そこで、基準時刻データは、上記ペイロードデータ領域のデータの一部として格納する。
【００２４】
各パイロットシンボル（ＰＳ）とデータのペアの時間幅は２５０μｓと規定されているため、制御チャンネルの時間幅は１２．７５ｍｓとなる。また、モバイル放送では、６制御チャンネルで１スーパーフレームが構成されるため、１スーパーフレームの時間幅は７６．５ｍｓとなる。なお、スーパーフレーム内における制御チャンネルはフレームカウンタの０から５で区別される。
【００２５】
本実施例では、１スーパーフレーム中に１回、基準時刻データを格納するものとする。すなわち、予め定めた特定のフレームカウンタ値を持つ制御チャンネルに基準時刻データを格納するものとする。したがって、本実施例においては、７６．５ｍｓに１回、基準時刻データが送信される。
【００２６】
図３は、時刻表示機能付き衛星放送受信装置１０における表示動作の例を示す図である。ここでは、遅延時間Ｔが１０秒の場合を例として示す。
【００２７】
いま、基準時計５１が９時５９分５０秒（０９：５９：５０）のときに、この基準時刻データ（０９：５９：５０）が制御チャンネルに格納されたとする。この基準時刻データは、衛星放送送信装置５０から送信され、放送衛星１００を経由して表示機能付き衛星放送受信装置１０で受信され、時刻情報抽出部２から時刻情報（０９：５９：５０）として出力される。
【００２８】
表示時刻算出部４は、この時刻情報（０９：５９：５０）に、遅延時間格納部３から読み出した遅延時間Ｔ（１０秒）を加算し、表示時刻（１０：００：００）を算出する。このとき、衛星放送送信装置５０において制御チャンネルへ基準時刻データを格納してから１０秒が経過しているので、基準時計が示す時刻は１０時００分００秒（１０：００：００）となっている。すなわち、表示時刻算出部４において算出した表示時刻（１０：００：００）は、基準時計が示す時刻（１０：００：００）と一致する。
【００２９】
したがって、表示時刻算出部４において算出した表示時刻（１０：００：００）を復号・表示部５で表示すれば、基準時計と一致した正確な時刻を表示することができる。
【００３０】
このとき、放送チャンネルで送信される映像データに重畳して画面上の一定位置に時刻を表示する場合、制御チャンネルと放送チャンネルの位相差を考慮して表示位置を調整する。
【００３１】
図４は、モバイル放送における制御チャンネルと放送チャンネルの位相関係を示す図である。
【００３２】
モバイル放送では、放送チャンネルのＴＳ（トランスポートストリーム）は２ＴＳ長で構成される制御チャンネルから時間ｔｘ遅れて送信される。したがって、制御チャンネル上のｔ１時間の位置に格納された基準時刻データの位置は、放送チャンネルの先頭位置からはｔ２時間（ｔ２＝ｔ１−ｔｘ）位置に相当する。制御チャンネルからの遅れ時間ｔｘは一定であるが、ｔ２は放送チャンネルによって異なる。
【００３３】
復号・表示部５の表示画面上の常に同じ位置に時刻表示を行う場合、復号された映像データに時刻表示データを重ね合わせて表示位置を調整する。
【００３４】
このような本実施例の時刻表示機能付き衛星放送受信装置および衛星放送送信装置によれば、衛星放送送信装置側で有する非常に高精度の基準時計の基準時刻データをもとに時刻表示機能付き衛星放送受信装置で表示する表示時刻を算出するので、時刻表示機能付き衛星放送受信装置は、その内部に時計を持たなくとも精度の高い時刻表示を行うことができる。
【実施例２】
【００３５】
図５は、本発明の実施例２に係る時刻表示機能付き衛星放送受信装置の構成の例を示すブロック図である。
【００３６】
本実施例の時刻表示機能付き衛星放送受信装置２０は、図１に示した実施例１の時刻表示機能付き衛星放送受信装置１０に表示切り換え部８を追加したものである。そこで、図５において、図１と同じ機能を有するブロックには図１と同一の符号を付し、ここではその詳細な説明を省略する。
【００３７】
表示切り換え部８は、外部から入力される切り換え信号により、復号・表示部５への時刻の表示のオン／オフ、表示を継続する時間の長さおよび表示のタイミングを切り換える。
【００３８】
表示切り換え部８は、切り換え信号により時刻表示オンが指示されると、表示時刻算出部４から出力される表示時刻を復号・表示部５へ送出する。これにより、復号・表示部５に時刻が表示される。
【００３９】
一方、切り換え信号により時刻表示オフが指示されると、表示切り換え部８は、表示時刻算出部４からの出力を復号・表示部５へ送出することを停止する。これにより、復号・表示部５には時刻が表示されなくなる。
【００４０】
また、復号・表示部５に時刻を表示するときに、表示切り換え部８は、切り換え信号により時刻表示の継続時間の長さの切り換えを行なうようにする。これにより、例えば、連続して時刻表示を行なうか、所定の期間のみ時刻を表示するかの選択が可能となる。
【００４１】
さらに、表示のタイミングの切り替えにより、表示切り換え部８は、所定の時刻に復号・表示部５に時刻を表示するようにする。これにより、例えば、毎正時に時報として時刻を表示することが可能となる。この場合、表示切り換え部８は、表示時刻算出部４の出力の分、秒のデータを監視しておき、これが００分００秒になったときに、そのときの表示時刻算出部４の出力を表示部５へ送出するようにすればよい。そして、例えば、分、秒のデータが００分１０秒になったときに復号・表示部５への表示時刻算出部４の出力の送出を停止するようにすれば、復号・表示部５に１０秒間のみ時刻表示が行なわれ、時報として用いることができる。
【００４２】
このような本実施例の時刻表示機能付き衛星放送受信装置によれば、表示装置への時刻の表示形態を切り替えることができるので、時刻表示に対する使用者のさまざまな要求に応じることができる。
【図面の簡単な説明】
【００４３】
【図１】本発明の実施例1に係る時刻表示機能付き衛星放送受信装置および衛星放送送信装置による衛星放送システムの概略構成を示すブロック図。
【図２】制御チャンネルのデータ構成の例を示す図。
【図３】本発明の実施例1に係る時刻表示機能付き衛星放送受信装置の表示動作の例を示す図。
【図４】制御チャンネルと放送チャンネルの位相関係の例を示す図。
【図５】本発明の実施例２に係る時刻表示機能付き衛星放送受信装置の構成の例を示すブロック図。
【符号の説明】
【００４４】
１０、２０  時刻表示機能付き衛星放送受信装置
１  復調・誤り訂正部
１Ａ  制御チャンネル部
１Ｂ  放送チャンネル部
２  時刻情報抽出部
３  遅延時間格納部
４  表示時刻算出部
５  復号・表示部
６  受信アンテナ
７  チューナー部
８  表示切り替え部
５０  衛星放送送信装置
５１  基準時計
５２  制御チャンネル生成部
５３  放送チャンネル生成部
５４  変調・誤り訂正部
５５  送出部
５６  送信アンテナ
【図１】
2007158611.tif 000003
【図２】
2007158611.tif 000004
【図３】
2007158611.tif 000005
【図４】
2007158611.tif 000006
【図５】
2007158611.tif 000007